(57)【要約】【課題】液体がアクチュエータに流れ込まないバルブを提供する。【解決手段】弁本体４と、摺動軸３２を伸縮させるボイスコイルモータ８と、弁本体４とボイスコイルモータ８とを連結する連結体６と、連結体６から空間２０に突出し、その一端に弁体２８が設けられた摺動シャフト３６と、連結体６内において、摺動シャフト３６の他端と摺動軸３２とを接続する接続部材５６と、接続部材５６の外周から突出した下液垂れ阻止部８２と、連結体６とボイスコイルモータ８との境目に設けられ、かつ、摺動軸３２が貫通する境目貫通孔７０を有する皿状の液受け部７２とを有する。【選択図】      図３
2020094610.tif 000002
【特許請求の範囲】
【請求項１】
弁本体と、
摺動軸を伸縮させるアクチュエータと、
前記弁本体と前記アクチュエータとを連結する連結体と、
前記弁本体内部に設けられた液体が流れる空間と、
前記弁本体に設けられた前記液体の入口と、
前記弁本体に設けられた前記液体の出口と、
前記出口に設けられた弁座と、
前記弁座を開閉する弁体と、
前記連結体から前記空間に突出し、その一端に前記弁体が設けられた摺動シャフトと、
前記連結体内において、前記摺動シャフトの他端と前記摺動軸とを接続する接続部材と、
前記接続部材の外周から突出した第１液垂れ阻止部と、
前記連結体と前記アクチュエータとの境目に設けられ、かつ、前記摺動軸が貫通する液受け貫通孔を有する皿状の液受け部と、
を有するバルブ。
【請求項２】
前記第１液垂れ阻止部は、外周ほど前記液受け部に向かって傾斜している傘型である、
請求項１に記載のバルブ。
【請求項３】
前記摺動シャフトの外周に設けられた第２液垂れ阻止部を有する、
請求項１に記載のバルブ。
【請求項４】
前記第２液垂れ阻止部は、外周ほど前記液受け部に向かって傾斜している傘型である、
請求項３に記載のバルブ。
【請求項５】
前記連結体内部には、前記摺動シャフトが摺動するための滑り軸受が設けられ、
前記第２液垂れ阻止部は、前記滑り軸受と前記接続部材の間に設けられている、
請求項４に記載のバルブ。
【請求項６】
前記液受け部において、前記液受け貫通孔の外周には、円筒状の隔壁が立設されている、
請求項１に記載のバルブ。
【請求項７】
前記液受け部と前記アクチュエータとの間に設けられ、前記摺動軸が貫通する境目貫通孔を有する境目部材と、
前記境目部材において前記境目貫通孔の外周に設けられたリング状の溝部と、
前記溝部に嵌合し、前記摺動軸に接触するリング状のシール部材と、
を有する請求項１に記載のバルブ。
【請求項８】
前記シール部材は、縦断面Ｕ字型のバネシール部材であり、
前記バネシール部材の凸部側が、前記アクチュエータ側に配されている、
請求項６に記載のバルブ。
【請求項９】
前記アクチュエータがボイスコイルモータである、
請求項１乃至８のいずれか一項に記載のバルブ。
【請求項１０】
前記接続部材が、クレビスである、
請求項１乃至９のいずれか一項に記載のバルブ。
【請求項１１】
走行する長尺状のウエブに塗工液を塗工するダイと、
前記塗工液を貯留するタンクと、
前記タンクに貯留された前記塗工液を圧送するポンプと、
請求項１に記載のバルブである第１バルブの前記弁本体と、請求項１に記載のバルブである第２バルブの前記第２バルブの前記弁本体とが組み合わされた共通の空間を有した三方弁と、
前記ポンプからの前記塗工液を前記第１バルブの前記入口に供給する圧送配管と、
前記第１バルブの前記出口から前記ダイに前記塗工液を供給する給液配管と、
前記第２バルブの前記出口から前記タンクに前記塗工液を循環させる循環配管と、
前記第１バルブの前記出口を開閉することによって前記ウエブに塗工区間と未塗工区間とを交互に形成する間欠塗工を行う制御部と、
を有する間欠塗工装置。
【発明の詳細な説明】
【技術分野】
【０００１】
本発明は、バルブとそれを用いた間欠塗工装置に関するものである。
【背景技術】
【０００２】
従来より、フィルム、布帛、紙、金属箔、金属メッシュなどの長尺状のウエブに塗工液を間欠塗工する間欠塗工装置が提案されている（例えば、特許文献１参照）。
【０００３】
この従来の間欠塗工装置は、バックアップロール上を搬送するウエブにダイによって未塗工区間と塗工区間とを交互に形成するために、塗工液を圧送するポンプとダイとの間にバルブを設け、未塗工区間を形成するときは、このバルブを閉じてダイへの塗工液の供給を停止し、一方、塗工区間を形成するときは、このバルブを開けてダイに塗工液を供給する。
【０００４】
しかし、最近のリチウムイオン電池の電極部材などに使用される金属箔に、塗工液を間欠塗工する場合には、未塗工区間の長さと塗工区間の長さの精度が、従来より高く要求される。
【０００５】
そこで本出願人は先に、ボイスコイルモータを用いたバルブによって間欠塗工を行う間欠塗工装置を提案した（特許文献１参照）。
【先行技術文献】
【特許文献】
【０００６】
【特許文献１】特開２０１２−４７２４５号公報
【発明の概要】
【発明が解決しようとする課題】
【０００７】
上記のようなバルブにおいて、間欠塗工装置を使用していると、塗工液がボイスコイルモータに流れて、このボイスコイルモータが故障するという問題点があった。
【０００８】
そこで、本発明は上記問題点に鑑み、塗工液などの液体がボイスコイルモータなどのアクチュエータに流れ込まないバルブ及びそれを用いた間欠塗工装置を提供することを目的とする。
【課題を解決するための手段】
【０００９】
本発明は、弁本体と、摺動軸を伸縮させるアクチュエータと、前記弁本体と前記アクチュエータとを連結する連結体と、前記弁本体内部に設けられた液体が流れる空間と、前記弁本体に設けられた前記液体の入口と、前記弁本体に設けられた前記液体の出口と、前記出口に設けられた弁座と、前記弁座を開閉する弁体と、前記連結体から前記空間に突出し、その一端に前記弁体が設けられた摺動シャフトと、前記連結体内において、前記摺動シャフトの他端と前記摺動軸とを接続する接続部材と、前記接続部材の外周から突出した第１液垂れ阻止部と、前記連結体と前記アクチュエータとの境目に設けられ、かつ、前記摺動軸が貫通する境目貫通孔を有する皿状の液受け部と、を有するバルブである。
【発明の効果】
【００１０】
本発明によれば、摺動シャフトと摺動軸とを接続する接続部材に第１液垂れ阻止部が設けられ、この第１液垂れ阻止部に流れた液体は液受け部に垂れ落ち、アクチュエータに流れることがない。
【図面の簡単な説明】
【００１１】
【図１】本発明の一実施形態を示す間欠塗工装置の全体図である。
【図２】三方弁の一部欠裁側面図である。
【図３】第２連結体の拡大縦断面図である。
【図４】第２連結体における境目部材とバネシール部材の拡大縦断面図である。
【発明を実施するための形態】
【００１２】
本発明の一実施形態の間欠塗工装置１００について図１〜図４に基づいて説明する。
【００１３】
（１）三方弁１０の構造
まず、間欠塗工装置１００に用いられる三方弁１０について図２を参照して説明する。
【００１４】
三方弁１０は、第１バルブ１と第２バルブ２とを組み合わせたものである。すなわち、第１バルブ１の第１弁本体３と第２バルブ２の第２弁本体４を組合せ、組合せ弁本体１２を構成している。組合せ弁本体１２内部には、共通の空間２０を有している。
【００１５】
組合せ弁本体１２における第１弁本体３の側部に、塗工液の入口１４が開口している。
【００１６】
組合せ弁本体１２における第１弁本体３の上部には、円筒状の第１出口１６が開口している。
【００１７】
組合せ弁本体１２における第２弁本体４の上部には、円筒状の第２出口１８が開口している。
【００１８】
共通の空間２０は、入口１４と第１出口１６と第２出口１８とを繋いでいる。この空間２０内部であって、第１出口１６の基部には、ゴム製、又は、シリコン製の第１弁座２２が形成され、第２出口１８の基部には、ゴム製の第２弁座２４が形成されている。
【００１９】
第１弁座２２を開閉するための第１弁体２６が、第１出口１６の基部内部に配されている。第２弁座２４を開閉するための第２弁体２８が、第２出口１８の基部内部に配されている。
【００２０】
組合せ弁本体１２における第１弁本体３の下部には、円筒状の第１連結体５が設けられ、第１連結体５の下部には、直動式のアクチュエータである第１ボイスコイルモータ（以下、「第１ＶＣモータ」という）７が設けられている。
【００２１】
第１連結体５から第１弁本体３の空間２０に突出した第１摺動シャフト３４は、その上端に第１弁体２６が取り付けられている。この第１摺動シャフト３４が摺動することにより、この第１弁体２６が第１弁座２２を開閉する。第１摺動シャフト３４の下端は、第１ＶＣモータ７から突出した第１摺動軸３０の上端と接続部材５４を介して接続されている。第１摺動軸３０の下端には、第１位置センサ３８が取り付けられている。この第１位置センサ３８は、リニアスケールより構成され、第１摺動軸３０の位置を１μｍ単位で検出できる。
【００２２】
組合せ弁本体１２における第２弁本体４の下部には、円筒状の第２連結体６が設けられ、第２連結体６の下部には、直動式のアクチュエータである第２ボイスコイルモータ（以下、「第２ＶＣモータ」という）８が取り付けられている。
【００２３】
第２連結体６から第２弁本体４の空間２０に突出した第２摺動シャフト３６は、組合せ弁本体１２を貫通し、その上端に第２弁体２８が取り付けられている。この第２摺動シャフト３６が摺動することにより、この第２弁体２８が第２弁座２４を開閉する。第２摺動シャフト３６の下端は、第２ＶＣモータ８から突出した第２摺動軸３２の上端と接続部材５６を介して接続されている。第２摺動軸３２の下端には、第２位置センサ４０が取り付けられている。この第２位置センサ４０は、リニアスケールより構成され、第２摺動軸３２の位置を１μｍ単位で検出できる。
【００２４】
（２）第２ＶＣモータ８
次に、第２ＶＣモータ８について図２を参照して説明する。
【００２５】
円筒形に形成された第２ＶＣモータ８のケーシング５２内部には、円筒形の鉄製のアウターヨーク４２が配され、このアウターヨーク４２の内周面には、リング状のマグネット４４が固定されている。この円筒形のアウターヨーク４２の内側には、円筒型の鉄製のインナーヨーク４６が配され、アウターヨーク４２とインナーヨーク４６とは下面で固定されている。アウターヨーク４２とインナーヨーク４６との間には、間隙が設けられている。
【００２６】
円筒形の非磁性のコイルボビン４８が、アウターヨーク４２とインナーヨーク４６との間隙を軸方向に摺動自在に配されている。コイルボビン４８の外周面にはコイル５０が巻回され、リング状のマグネット４４の位置に対応している。
【００２７】
コイルボビン４８の軸方向の中央部には、第２摺動軸３２が貫通して固定されている。また、第２摺動軸３２は、円筒型のインナーヨーク４６も貫通し、リニアスケールよりなる第２位置センサ４０まで延びている。
【００２８】
第２ＶＣモータ８の動作状態について説明する。
【００２９】
コイルボビン４８のコイル５０に、直流電流を流すことにより、リング状のマグネット４４との間に磁界が発生し、ファラデーの法則により、コイルボビン４８が第２摺動軸３２と共に軸方向に移動する。この軸方向に移動する第１摺動速度ｖ１は、コイル５０に流す直流電流の強さによって決定される。また、第２摺動軸３２がどの位置まで移動させるかは、第２位置センサ４０で第２摺動軸３２の位置を検出し、所定の位置まで第２摺動軸３２が移動すると、コイル５０に流れる直流電流をＯＦＦし、第２摺動軸３２の摺動を停止させる。
【００３０】
第１ＶＣモータ７も、第２ＶＣモータ８と同様の構造を有し、同様の動作を行う。
【００３１】
（３）第２連結体６
次に第２連結体６について図２〜図４を参照して説明する。
【００３２】
まず、図２と図３に示すように、第２連結体６の第２出口１８の反対側の位置には、第２摺動シャフト３６が貫通するための円形の開口部９６が開口し、開口部９６の縁部から筒突部９４が下方に突出している。
【００３３】
また、図３に示すように、第２連結体６の筒体５８の上端の外周には上フランジ部９８が設けられ、筒体５８の下端の外周には下フランジ部７４が設けられている。
【００３４】
図３に示すように、筒突部９４の下端と筒体５８の上フランジ部９８とが、不図示のボルトにより固定されている。
【００３５】
図３に示すように、筒突部９４の内側には、円柱状の支持部６０が収納されている。支持部６０の軸方向には支持貫通孔６２が設けられ、第２摺動シャフト３６が開口部９６、支持貫通孔６２を貫通する。この支持貫通孔６２は、第２摺動シャフト３６よりもやや大きく、第２摺動シャフト３６が摺動自在となっている。
【００３６】
図３に示すように、筒体５８内の上部であって、支持部６０の下方には、滑り軸受６４が収納されている。滑り軸受６４は、第２摺動シャフト３６が貫通し、第２摺動シャフト３６をスムーズに摺動させる。そして、第２摺動シャフト３６の下端は、この滑り軸受６４の下部から突出している。
【００３７】
図３と図４に示すように、第２ＶＣモータ８の上面の中央部には、円板状の境目部材６８が配されている。この境目部材６８の中央には、境目貫通孔７０が設けられている。この境目貫通孔７０は、第２摺動軸３２の外径よりもやや大きい径であり、第２摺動軸３２が移動自在に貫通している。境目部材６８の上には、円板状の液受け部７２が配されている。液受け部７２の中心には、第２摺動軸３２が貫通する液受け貫通孔７３が設けられている。この液受け貫通孔７３は、第２摺動軸３２の外径よりもやや大きい径であり、第２摺動軸３２が移動自在に貫通している。
【００３８】
図３と図４に示すように、液受け部７２の上部には、筒体５８の下フランジ部７４が載置され、筒体５８の下フランジ部７４、液受け部７２、台座６６及び第２ＶＣモータ８が、不図示のボルトにより一体に固定されている。
【００３９】
図３に示すように、筒体５８内において、第２摺動シャフト３６の下端と第２摺動軸３２の上端が、接続部材５６によって接続されている。接続部材５６は、円柱状のクレビスである。すなわち、接続部材５６の上部は、Ｕ字状の凹部７６を有している。また、第２摺動シャフト３６の下端は、先細りとなっている。先細りとなった第２摺動シャフト３６の下端が凹部７６に嵌まり込み、ピン７８によって回転自在に接続部材５６の上部に固定されている。接続部材５６の下部には、雌ネジ部が形成され、第２摺動軸３２の上部に形成された雄ネジ部が螺合し、ナット８０で固定されている。
【００４０】
図３に示すように、円筒状の接続部材５６の下端には、下液垂れ阻止部（第１液垂れ阻止部）８２が突出している。この下液垂れ阻止部８２は、接続部材５６と一体に形成され、下の方向、すなわち、第２ＶＣモータ８の方向に行くほど外方に径が大きくなるように傾斜して形成され、傘型となっている。
【００４１】
図３と図４に示すように、液受け部７２は、金属製の部材（例えば、ポリテトラフルオロエチレン（テフロン、登録商標））により形成されている。液受け部７２には、第２摺動軸３２が貫通する液受け貫通孔７３よりも外周の位置に円筒状の隔壁８４が接続部材５６に向かって立設されている。隔壁８４の外径は、下液垂れ阻止部８２の最大外径よりも小さく形成されている。また、液受け部７２の隔壁８４よりも外周であって、筒体５８の内周壁と一致する位置にはリング状の突部８６が形成され皿状となっている。この突部８６の高さは、隔壁８４よりも低く形成されている。
【００４２】
図３に示すように、滑り軸受６４と接続部材５６の間にある第２摺動シャフト３６の外周には、リング状の上液垂れ阻止部（第２液垂れ阻止部）８８が取り付けられている。上液垂れ阻止部８８は、下の方向、すなわち、第２ＶＣモータ８の方向に行くほど径が大きくなるように傾斜して形成され、傘型となっている。上液垂れ阻止部８８は、第２摺動シャフト３６とは別体であって、接続部材５６に第２摺動シャフト３６を固定する前に、リング状の上液垂れ阻止部８８を嵌め込む。
【００４３】
図３と図４に示すように、境目部材６８の境目貫通孔７０の外周であって、境目部材６８の下面、すなわち、第２ＶＣモータ８の側には、リング状の溝９０が設けられている。図４に示すように、この溝９０にはリング状であって、かつ、縦断面形状がＵ字状のバネシール部材９２が嵌め込まれている。この場合に、縦断面Ｕ字状のバネシール部材９２の凸部側が第２ＶＣモータ８側になるように嵌め込まれている。このバネシール部材９２としては例えばオムニシール（登録商標）である。
【００４４】
上液垂れ阻止部８８の役割について図３を参照して説明する。塗工液が組合せ弁本体１２の開口部９６から漏れて第２摺動シャフト３６を伝って第２連結体６に浸入して、塗工液が、第２摺動シャフト３６を伝い上液垂れ阻止部８８まで至るとする。すると、上液垂れ阻止部８８は傘型となっているため、この上液垂れ阻止部８８の上面を塗工液が伝い、外端部から塗工液が垂れ落ちる。垂れ落ちた塗工液は、液受け部７２の隔壁８４と突部８６との間に溜まる。これにより、第２ＶＣモータ８には至らない。
【００４５】
しかし、上液垂れ阻止部８８を通り抜け、さらに第２摺動シャフト３６を伝った塗工液は、下液垂れ阻止部８２に至るときがある。このときは、図３に示すように、傘型の下液垂れ阻止部８２の上面に沿って外端部まで流れ、塗工液は垂れ落ちる。垂れ落ちた塗工液は、液受け部７２の隔壁８４と突部８６との間に溜まる。これにより、第２ＶＣモータ８に流れることはない。
【００４６】
しかし、上液垂れ阻止部８８と下液垂れ阻止部８２をも通り抜けて第２摺動軸３２を流れる塗工液は、図３と図４に示すように、バネシール部材９２によって遮られ、縦断面Ｕ字状の部分に溜まる。そのため、第２ＶＣモータ８には塗工液は流れることがない。
【００４７】
なお、液受け部７２とバネシール部材９２に溜まった塗工液は、三方弁１０を分解掃除するときに取り除く。
【００４８】
第１連結体５の内部についても、第２連結体６と同様の構造を有する。
【００４９】
（４）間欠塗工装置１００の構成
次に、間欠塗工装置１００の構成について、図１を参照して説明する。リチウムイオン電池の電極部材の材料となる長尺状のウエブＷ（例えば、金属箔）が、バックアップロール１０２によって所定の走行速度Ｖで走行する。このバックアップロール１０２の側方には、ウエブＷに塗工液を間欠塗工するためのダイ１０４が配されている。このダイ１０４内部には、液溜め部１０６が設けられ、この液溜め部１０６からスリット１０８を経てダイ１０４の吐出口１０９に至る。バックアップロール１０２の前後には、ウエブＷを案内する案内ロール１３０と案内ロール１３２が回転自在に設けられている。ダイ１０４の吐出口１０９とバックアップロール１０２を走行するウエブＷとの間隙であるギャップｇを調整するために、ダイ１０４、又は、バックアップロール１０２がエアーシリンダで移動自在に支持されている。
【００５０】
図１に示すように、塗工液を貯留するためのタンク１１０が、設けられている。タンク１１０から吸引パイプ１１３を介して塗工液を吸引する定量ポンプ１１２が設けられている。定量ポンプ１１２は、ポンプモータ１１４によって駆動する。定量ポンプ１１２と三方弁１０の入口１４との間には圧送配管１１６が設けられ、定量ポンプが、単位時間当たり一定量の塗工液を、圧送配管１１６を介して三方弁１０へ圧送する。
【００５１】
図１に示すように、三方弁１０の第１出口１６には、給液配管１１８の一端部が接続され、この給液配管１１８の他端部は、ダイ１０４の塗工液入口１２０に接続されている。三方弁１０の第２出口１８には、循環配管１２２の一端部が接続され、この循環配管１２２の他端部は、タンク１１０に設けられている。また、この循環配管１２２の途中には絞り弁１２４が設けられている。
【００５２】
（５）間欠塗工装置１００の電気的構成
間欠塗工装置１００の電気的構成について、図１を参照して説明する。
【００５３】
コンピュータよりなる制御部１２６には、バックアップロール１０２を回転させるための走行モータ１２８、定量ポンプ１１２を駆動させるポンプモータ１１４、三方弁１０の第１ＶＣモータ７、第２ＶＣモータ８、第１位置センサ３８、第２位置センサ４０がそれぞれ接続されている。
【００５４】
（６）間欠塗工装置１００の動作状態
次に、間欠塗工装置１００を用いてウエブＷに塗工区間Ｌ１と未塗工区間Ｌ２を形成する間欠塗工を行う動作について図１〜図３に基づいて説明する。
【００５５】
ウエブＷに塗工区間Ｌ１を形成する場合、作業者は、タンク１１０に塗工液を入れて基準量まで満杯にし、ダイ１０４の吐出口１０９とウエブＷとの間隙であるギャップｇを基準ギャップｇ０に設定する。
【００５６】
制御部１２６は、ウエブＷを走行速度Ｖで走行させ、三方弁１０の第１出口１６を開状態にし、第２出口１８を閉状態にして、定量ポンプ１１２によってタンク１１０から塗工液を圧送し、三方弁１０を経て、ダイ１０４に塗工液を圧送する。ダイ１０４に圧送された塗工液は、液溜め部１０６からスリット１０８を経て吐出口１０９において塗工液を、走行するウエブＷに塗工する。
【００５７】
このときに、制御部１２６は、第１摺動シャフト３４を第１基準摺動速度ｖ０で移動させ、第１出口１６を開状態にし、第２出口１８を閉状態にして、ウエブＷに塗工液の塗工を開始して塗工区間Ｌ１を形成する。第１摺動シャフト３４の第１弁体２６を開状態にするときの摺動停止位置は、第１位置センサ３８によって検出し、予め決められた所定位置まで第１摺動シャフト３４が突出すると、制御部１２６は、第１ＶＣモータ７のコイル５０に流す直流電流をＯＦＦして、第１摺動シャフト３４の摺動を停止させる。また、制御部１２６は、第２出口１８を閉状態にする場合に、第２摺動シャフト３６の第２摺動速度ｖ２を第１摺動シャフト３４の第１基準摺動速度ｖ０と同じにするか、又は、少し遅くする。これにより、第１出口１６が開状態になったときに、第２出口１８が閉状態になるときの圧力変化の影響を塗工部分が受けることがなく、塗工区間Ｌ１の始端に盛り上がり部分が形成されない。
【００５８】
次に、制御部１２６は、走行速度ＶからウエブＷの塗工区間Ｌ１の長さを測定し、塗工区間Ｌ１の塗工が終了した場合には、第１出口１６を閉状態にし、同時に第２出口１８を開状態にする。制御部１２６が第１出口１６を閉状態にする第１摺動シャフト３４の第１摺動速度ｖ１を第１最大摺動速度ｖ１ｍａｘで行う。一方、制御部１２６は、第２ＶＣモータ８のコイル５０に流す直流電流の強さを制御して、第２出口１８を開状態にする場合も同様に、第２摺動シャフト３６の第２摺動速度ｖ２を第２最大摺動速度ｖ２ｍａｘで行う。このような制御をする理由は、塗工液の吐出が迅速に終了すればするほど、塗工区間Ｌ１の終端がエッジ状になって盛り上がりを防止でき、そして、塗工液の吐出を迅速に終了させるには、第１摺動シャフト３４を最も早く摺動させて第１弁体２６を閉状態にする必要があるからである。なお、第１摺動シャフト３４を閉状態にするときの摺動は、第１弁体２６が第１弁座２２に当たると停止する。また、第２摺動シャフト３６を開状態にするときの摺動停止位置は、第２位置センサ４０によって検出し、第２摺動シャフト３６の摺動を停止させる。これによって、塗工区間Ｌ１の終端の盛り上がりを防止でき、また、塗工区間Ｌ１の長さを予め決めた長さに正確に塗工できる。
【００５９】
次に、制御部１２６は、走行速度ＶからウエブＷの未塗工区間Ｌ２の長さを測定し、未塗工区間Ｌ２の形成が終了すると、上記と同様の制御によって三方弁１０の第１出口１６を開状態にし、第２出口１８を閉状態にして、ウエブＷに塗工区間Ｌ１を塗工する。未塗工区間Ｌ２を形成している場合には、三方弁１０の第１出口１６が閉状態であり、第２出口１８が開状態であるため、定量ポンプ１１２から圧送された塗工液は、循環配管１２２によって、タンク１１０に循環する。この循環量は、絞り弁１２４によって決定する。
【００６０】
（７）効果
本実施形態によれば、塗工液が組合せ弁本体１２の開口部９６から漏れて第２摺動シャフト３６を伝って第２連結体６に浸入して上液垂れ阻止部８８に至っても、上液垂れ阻止部８８が傘型であるため、塗工液がその上面の上面に沿って外方に流れ垂れ落ちる。垂れ落ちた塗工液は液受け部７２に溜まる。そのため第２ＶＣモータ８に至ることはない。
【００６１】
また、上液垂れ阻止部８８を通り、下液垂れ阻止部８２に至った塗工液は、傘型の下液垂れ阻止部８２の上面に沿って外方に流れ垂れ落ちる。垂れ落ちた塗工液は液受け部７２に溜まる。そのため、第２ＶＣモータ８に至ることがない。
【００６２】
さらに、上液垂れ阻止部８８、下液垂れ阻止部８２を通り、第２摺動軸３２に流れた塗工液は、バネシール部材９２によって遮られるため、第２ＶＣモータ８に至ることがない。そのため、第２ＶＣモータ８が故障しない。
【００６３】
また、第１連結体５も同様の構造を有するため、第１ＶＣモータ７に塗工液が流れることはなく、故障しない。
【００６４】
（８）変更例
上記実施形態では、下液垂れ阻止部８２と接続部材５６は一体であったが、接続部材５６と下液垂れ阻止部８２を別体に構成してもよい。
【００６５】
また、上記実施形態では、直動式のアクチュエータとしてＶＣモータを用いたが、これに限らず他の装置、例えば、エアーシリンダなどを用いてもよい。
【００６６】
また、上記実施形態では、クレビスを有する接続部材５６を用いたが、このクレビスがなく、第２摺動軸３２と第２摺動シャフト３６を直結する接続部材でもよい。
【００６７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６８】
１・・・第１バルブ、２・・・第２バルブ、３・・・第１弁本体、４・・・第２弁本体、５・・・第１連結体、６・・・第２連結体、７・・・第１ボイスコイルモータ、８・・・第２ボイスコイルモータ、３０・・・第１摺動軸、３２・・・第２摺動軸、３４・・・第１摺動シャフト、３６・・・第２摺動シャフト、５４・・・接続部材、５６・・・接続部材、５８・・・筒体、６０・・・支持部、６４・・・滑り軸受、６８・・・境目部材、７２・・・液受け部、８２・・・下液垂れ阻止部、８４・・・隔壁、８８・・・上液垂れ阻止部、９０・・・溝、９２・・・バネシール部材、１００・・・間欠塗工装置、１０２・・・バックアップロール、１０４・・・ダイ
【図１】
2020094610.tif 000003
【図２】
2020094610.tif 000004
【図３】
2020094610.tif 000005
【図４】
2020094610.tif 000006